(57)【特許請求の範囲】
【請求項１】
湿度調節の対象となる調湿対象空間の湿度調節を行う調湿装置であって、
空気を加湿する加湿部と、
空気を除湿する除湿部と、
前記加湿部および前記除湿部に送風する送風機と、
前記調湿対象空間が温度に応じた目標湿度域に達するように、前記加湿部、前記除湿部および前記送風機を駆動させる制御部と、
前記調湿対象空間の居室としての種類を示す情報を記憶する記憶部と、
前記調湿対象空間の明るさを検知する明るさセンサと、を備え、
温度に応じた前記目標湿度域が複数設定されており、
前記制御部は、複数設定された前記目標湿度域を前記調湿対象空間の状況に応じて切り換え、
前記制御部は、前記調湿対象空間の状況を示すパラメータの１つとして前記記憶部に記憶されている居室としての種類を示す情報を用い、前記調湿対象空間の居室としての種類に応じた目標湿度域を選択し、
さらに、前記制御部は、前記調湿対象空間の状況を示すパラメータの１つとして前記明るさセンサの検知結果を用い、前記調湿対象空間の明るさに応じた目標湿度域を選択し、前記居室としての種類を示す情報が居室の使い方を示す情報であり、該居室の使い方を示す情報が寝室を示す場合、暗い時に明るい時よりも高い目標湿度域を選択することを特徴とする調湿装置。
【発明の詳細な説明】
【技術分野】
【０００１】
本発明は、除湿機能と加湿機能とを併せ持つ調湿装置に関するものである。
【背景技術】
【０００２】
従来、除湿機能と加湿機能の両方の機能を有した調湿装置があり、市販もされている。例えば、非特許文献１には、除湿機能、加湿機能、および空気清浄機能を有し、空気清浄のみを行う空気清浄運転（空清運転）、空気清浄と除湿を同時に行う除湿空清運転、空気清浄と加湿を同時に行う加湿空清運転の３つの運転ができる調湿装置が紹介されている。
【０００３】
また、この調湿装置には、加湿空清運転と除湿空清運転とを自動で切り換えて、室温に適した湿度にコントロールする自動運転モードが搭載されている。自動運転モードでは、調湿対象空間の温度と湿度とを検知し、調湿対象空間の温度に応じた湿度になるように、加湿空清運転、除湿空清運転、空気清浄運転が切り換えられる。
【０００４】
図１４は、このような自動運転モードでの運転に用いられるテーブルの内容を図示したもので、温度と湿度とに応じた運転内容が示されている。図１４に示すように、自動運転モードでは、湿度が目標湿度域に到達するまで、加湿空清運転あるいは除湿空清運転が行われ、目標湿度域に達すると空気清浄運転が行われる。
【０００５】
また、特許文献１には、人体検知センサや照度センサにて人が居るかどうかを判断し、人が居る場合は除湿すべき湿度に到達しても除湿空清運転への切り換えを行わず、人が居なくなってから除湿空清運転へと切り換える調湿装置が開示されている。
【先行技術文献】
【非特許文献】
【０００６】
【非特許文献１】［２０１６年３月９日検索］  ダイキン工業  インターネット＜URL：http://www.daikinaircon.com/ca/cz/＞
【特許文献】
【０００７】
【特許文献１】特開２００９−６８８０２号公報
【発明の概要】
【発明が解決しようとする課題】
【０００８】
非特許文献１の従来の調湿装置では、自動運転モードでの運転に用いられるテーブルは１つであり、運転切り換えの閾値となる温度に応じた目標湿度域は１つであった。しかしながら、その場合、目標湿度域は、適度に加湿して空間を潤わせつつ、結露も抑制し得るような中庸をとったものとなる。そのため、従来の調湿装置では、調湿対象空間の状況に応じたメリハリのある、快適性を追求した運転ができないといった問題がある。
【０００９】
例えば、調湿対象空間をリビングルームとした場合、リビングルームにおいて夜間の照明が点灯されていない暗い状況は、人が居ないと考えられ、加湿する必要性も低い。そのため、明るい状況よりも目標湿度域を下げて加湿を抑えることで、より効果的に結露を抑制できる。従来の調湿装置の自動運転モードでは、暗い状況でも明るい状況と同じように運転されるため、結露をより効果的に抑制することはできない。
【００１０】
また、リビングルームにおいて、日中や、夜間の照明が点灯されている明るい状況は、人が居ると考えられ、ウィルスへの対策等を考慮すると、積極的に加湿することが好ましい。そのため、暗い状況よりも目標湿度域を上げることが好ましい。従来の調湿装置の自動運転モードでは、明るい状況でも暗い状況と同じように運転されるため、より積極的な加湿を行うことができない。
【００１１】
なお、特許文献１の構成を採用することで、人の居る空間を積極的に加湿することはできる。しかしながら、積極的に加湿する対応であるため、夜間の人の居ない空間の結露をより効果的に抑制することはできない。
【００１２】
本発明は、上記課題に鑑みなされたもので、自動運転モードにおいて、従来よりも調湿対象空間の状況に応じたメリハリのある、快適性を追求した運転を実施可能な調湿装置を提供することを目的としている。
【課題を解決するための手段】
【００１３】
本発明の一態様に係る調湿装置は、上記課題を解決するために、湿度調節の対象となる調湿対象空間の湿度調節を行う調湿装置であって、空気を加湿する加湿部と、空気を除湿する除湿部と、前記加湿部および前記除湿部に送風する送風機と、前記調湿対象空間が温度に応じた目標湿度域に達するように、前記加湿部、前記除湿部および前記送風機を駆動させる制御部と、前記調湿対象空間の居室としての種類を示す情報を記憶する記憶部と、前記調湿対象空間の明るさを検知する明るさセンサと、を備え、温度に応じた前記目標湿度域が複数設定されており、前記制御部は、複数設定された前記目標湿度域を前記調湿対象空間の状況に応じて切り換え、前記制御部は、前記調湿対象空間の状況を示すパラメータの１つとして前記記憶部に記憶されている居室としての種類を示す情報を用い、前記調湿対象空間の居室としての種類に応じた目標湿度域を選択し、さらに、前記制御部は、前記調湿対象空間の状況を示すパラメータの１つとして前記明るさセンサの検知結果を用い、前記調湿対象空間の明るさに応じた目標湿度域を選択し、前記居室としての種類を示す情報が居室の使い方を示す情報であり、該居室の使い方を示す情報が寝室を示す場合、暗い時に明るい時よりも高い目標湿度域を選択することを特徴としている。
【発明の効果】
【００１４】
本発明の一態様によれば、調湿対象空間の状況に応じて、目標湿度域が切り換えられるので、自動運転モードにおいて、従来よりも調湿対象空間の状況に応じたメリハリのある、快適性を追求した運転を実施可能な調湿装置を提供することができるという効果を奏する。
【図面の簡単な説明】
【００１５】
【図１】本実施の形態の調湿装置の外観を示す斜視図である。
【図２】上記調湿装置の内部構成を示す縦断面図である。
【図３】上記調湿装置における空気の流れる風路を示す図であり、（ａ）は除湿部を通らない風路であり、（ｂ）は除湿部を通る風路である。
【図４】上記調湿装置における操作部の外観図である。
【図５】上記調湿装置における表示部の外観図である。
【図６】上記調湿装置におけるコントローラとその周辺部の構成を模式的に示す図である。
【図７】上記調湿装置における「おまかせ自動運転」で、日中および夜間の照明が点灯している明るい状況で用いられる、リビングルーム用のテーブル（明）の内容を図示したもので、温度と湿度とに応じた運転内容が示されている。
【図８】上記調湿装置における「おまかせ自動運転」で、夜間の照明が点灯されていない暗い状況で用いられる、リビングルーム用のテーブル（暗）の内容を図示したもので、温度と湿度とに応じた運転内容が示されている。
【図９】上記調湿装置における「おまかせ自動運転」のメインフローに組み込まれる、テーブルの選択（切り換え）のサブルーチンのフローチャートである。
【図１０】他の実施の形態の調湿装置で、日中および夜間の照明が点灯している明るい状況で用いられる、寝室用のテーブル（明）の内容を図示したもので、温度と湿度とに応じた運転内容が示されている。
【図１１】図１０の調湿装置における「おまかせ自動運転」で、夜間の照明が点灯されていない暗い状況で用いられる、寝室用のテーブル（暗）の内容を図示したもので、温度と湿度とに応じた運転内容が示されている。
【図１２】他の実施の形態の調湿装置におけるコントローラとその周辺部の構成を模式的に示す図である。
【図１３】他の実施の形態の調湿装置におけるコントローラとその周辺部の構成を模式的に示す図である。
【図１４】従来の調湿装置において、自動運転モードでの運転に用いられるテーブルの内容を図示したもので、温度と湿度とに応じた運転内容が示されている。
【発明を実施するための形態】
【００１６】
〔実施の形態１〕
本発明の実施の一形態について、図面に基づいて説明すれば、以下の通りである。
【００１７】
図１は、本実施の形態の調湿装置Ａの外観を示す斜視図である。図２は、図１に示す調湿装置の内部構成を示す縦断面図である。以下の説明において、図１に示す状態を調湿装置Ａの使用状態とし、左側を正面（フロント）、右側を背面（リヤ）とする。
【００１８】
調湿装置Ａは周囲の空気を吸い込むとともに、空気に含まれる塵埃等の異物を除去する空気清浄機能、空気に含まれる水分を除去する除湿機能、空気の湿度を高める加湿機能を備えた装置である。
【００１９】
調湿装置Ａは、図１に示すように、外装部材である筐体１を備え、筐体１の内部に、図２に示すように、送風機２、空気清浄フィルタ３、除湿部４、加湿部５およびコントローラ（制御部）３０等を備えている。
【００２０】
図１に戻り、筐体１は、ケース１１、フロントカバー１２およびリヤカバー１３を備えている。ケース１１は、内部に空間を有する箱型の部材であり、例えば、板金、合成樹脂等を用いて形成されるものを挙げることができるが、これに限定されるものではない。ケース１１の正面および背面には図示しない開口が形成されており、正面の開口にフロントカバー１２が、背面の開口にリヤカバー１３がそれぞれ着脱可能に取り付けられている。
【００２１】
リヤカバー１３には吸込口１６が設けられ、また、ケース１１の上面には吹出口１５Ａが、ケース１１におけるフロントカバー１２の上方には吹出口１５Ｂがそれぞれ設けられている。吸込口１６から吸い込まれた空気は、塵埃等の異物が除去された後、必要に応じて加湿又は除湿され、吹出口１５Ａ，１５Ｂから吹き出される。吹出口１５Ａには、吹き出される空気の方向を調整するための吹出ルーバ１４が設けられている。
【００２２】
また、ケース１１には、吹出口１５Ｂの上方に後述する表示部１９が設けられ、上面における吹出口１５Ａの正面側には、後述する操作部１８が設けられている。
【００２３】
図２に示すように、リヤカバー１３の内側であって、ケース１１の背面の開口には、空気清浄フィルタ３が配置されている。リヤカバー１３に設けられた吸込口１６を通過した空気は、空気清浄フィルタ３を介して吸い込まれる。空気清浄フィルタ３は、通過する空気から微細塵、埃等の異物を捕集するフィルタである。空気清浄フィルタ３としては、不織布を紙状に形成したＨＥＰＡフィルタ（Ｈｉｇｈ Ｅｆｆｉｃｉｅｎｃｙ Ｐａｒｔｉｃｕｌａｔｅ ＡｉｒＦｉｌｔｅｒ）を挙げることができるがこれに限定されない。
【００２４】
送風機２は、両翼ファン２１、ファンケース２２、ファンモータ２３、ダクト２４を備えている。両翼ファン２１は、ここでは、遠心方向に空気を排出するファンであり、回転することで、中央部分から空気を吸い込むとともに、外周に向かう気流を発生させる。なお、両翼ファン２１に換えてターボファンや高圧軸流ファンを使用してもよい。
【００２５】
両翼ファン２１は、ファンケース２２の内部に回転可能に配置されている。ファンケース２２は、ダクト２４と連結されており、両翼ファン２１の周方向に発生した気流をダクト２４に向けて吹出すことができる構成を有している。ファンケース２２には、熱交換器側吸気口２５Ａと加湿部側吸気口２５Ｂとが設けられている。
【００２６】
両翼ファン２１は、ファンモータ２３の出力軸に取り付けられている。ファンモータ２３はファンケース２２に固定されており、ファンモータ２３が回転駆動することで、両翼ファン２１が回転する。ダクト２４は両翼ファン２１の回転によって発生した気流を吹出口１５Ａ，１５Ｂに導く。
【００２７】
ダクト２４には、気流にイオンを包含させるイオン発生器（イオン発生部）３８が配置されている。イオン発生器３８は、大気中で放電してイオンを発生するものである。イオン発生器３８としては、ｍ、ｎをそれぞれ任意の自然数とする正イオンＨ＋（Ｈ２Ｏ）ｍ、負イオンＯ２−（Ｈ２Ｏ）ｎを発生する構成が好ましい。この場合、空気中の浮遊細菌やウィルスの表面に正負イオンが付着して反応し、表面で活性種ＯＨラジカル（・ＯＨ）や過酸化水素（Ｈ２Ｏ２）を生成することで殺菌などの効果を発揮させることができる。
【００２８】
除湿部４は、蒸発器４１、凝縮器４２、除湿トレイ４３および除湿タンク４４を備えている。除湿部４は、通過する気流を冷却して空気に含まれる水分を結露させることで、空気に含まれる水分を取り除く（除湿する）。除湿部４は、冷媒を循環させ、冷媒の相変化を利用して、空気を冷却する冷凍サイクル装置を備えている。冷凍サイクル装置は、蒸発器４１、凝縮器４２以外にも、図示をしていない圧縮機、膨張器等を備えている。
【００２９】
蒸発器４１および凝縮器４２は、熱交換器であり、例えば、フィン＆チューブを用いた熱交換器を挙げることができるがこれに限定されない。除湿部４は、正面側において送風機２に近接して配置される。送風機２の駆動により熱交換器側吸気口２５Ａからファンケース２２に空気が吸い込まれてダクト２４から送出されるに伴って、除湿部４の蒸発器４１および凝縮器４２のフィンの隙間を流れる気流が発生する。
【００３０】
蒸発器４１は気流つまり空気を冷却し、凝縮器４２は気流を暖める。そのため、除湿部４では、気流の上流側に蒸発器４１を配置して気流を冷却して、蒸発器４１に空気中の水分を結露させる。そして、蒸発器４１で冷やされた気流を凝縮器４２で高温の冷媒との熱交換で暖め、蒸発器４１に流入したときと同じ温度か、又は高い温度に昇温する。以上のことから、除湿部４では、凝縮器４２よりも気流の上流に蒸発器４１が配置される。
【００３１】
除湿トレイ４３は、蒸発器４１の下部に配置された容器であり、蒸発器４１の表面で結露した結露水を受けるための受け皿である。除湿トレイ４３で受けた水は、図示しない配管を介して除湿タンク４４に送られる。除湿タンク４４は、ケース１１にスライドして着脱可能に設けられた容器である。
【００３２】
除湿タンク４４は、溜まったドレン水の量または水位を検出することができるようになっている。調湿装置Ａでは、除湿タンク４４に一定量のドレン水が溜まると、警告を行うようになっているとともに、調湿装置Ａの少なくとも除湿部４を停止する。使用者が、警告に応じて除湿タンク４４を取り外して、溜まったドレン水を排水することで、再度除湿機能が利用可能になる。なお、本実施形態では、冷凍サイクルを用いて除湿を行っているが、これに限定されず、空気中の水分を吸着する乾燥剤等を用いた除湿部を用いてもよい。
【００３３】
加湿部５は、加湿ロータ５１、加湿部モータ５２、加湿トレイ５３、加湿フィルタ５４、加湿タンク５５および抗菌剤５６を備えている。加湿ロータ５１は、外周部分をなす円筒部と該円筒部の内側の支持部とを有する円形の支持枠に、加湿フィルタ５４を保持した構成である。加湿ロータ５１は、ケース１１内に回転可能に支持されており、加湿部モータ５２から出力される軸力が図示ない駆動力伝達機構を介して伝達されて回転する。加湿ロータ５１および加湿トレイ５３は、加湿ロータ５１の下部が、加湿トレイ５３の内部を通過するように配置される。加湿フィルタ５４は、吸水性を有する材料で形成した段ボール状のフィルタ部材であり、加湿ロータ５１が回転するときに、加湿トレイ５３に溜まっている水が加湿フィルタ５４全体行き渡り、加湿フィルタ５４に水が供給される。
【００３４】
加湿フィルタ５４は、不織布等の無数の微小隙間を有する部材を備えており、毛細管現象によって全体に水が行き渡る。なお、加湿トレイ５３と加湿タンク５５とは配管で接続されており、加湿トレイ５３に一定以上の水量または水位となるように、加湿タンク５５から水が追加されるようになっている。
【００３５】
また、加湿ロータ５１は、一部が吸水性を持たない構造としてもよい。このような構成とすることで、この部分が加湿トレイ５３に浸かった状態で回転を停止することで、加湿トレイ５３からの水の供給を停止することができる。すでに加湿ロータ５１に含まれている水を除いて新たな水が供給されないので、加湿ロータ５１が乾燥した後の加湿を行わせないようにさせることができる。
【００３６】
加湿部５は、筐体１内において、送風機２に対して除湿部４よりも背面側に設けられる。送風機２の駆動により加湿部側吸気口２５Ｂからファンケース２２に空気が吸い込まれると、加湿ロータ５１の円筒部の内部を軸方向に流れる気流が発生する。円筒部の内部には加湿フィルタ５４が配置されており、加湿フィルタ５４が水を保持しているとき、加湿フィルタ５４は気流に対して水を供給する、すなわち、流れる空気を加湿する。なお、加湿部５の位置は、加湿ロータ５１を流れる気流が、加湿運転時に水を保持している加湿フィルタ５４を通過するように、調整されている。
【００３７】
なお、調湿装置Ａにおいて、加湿部５は、加湿ロータ５１を回転させることで加湿フィルタ５４が加湿トレイ５３に貯められている水と接触し、毛細管現象でいきわたらせる構成としているが、これに限定されるものではない。例えば、バケットを加湿ロータ５１の円周部に設置し、回転によって水をすくい、すくい上げた水を上部から加湿フィルタ５４に流す構造であってもよい。
【００３８】
抗菌剤５６は、加湿トレイ５３および（又は）加湿タンク５５に溜まっている水の劣化を抑制するものである。なお、薬剤による抗菌剤５６に限らず、例えば、抗菌性金属イオンを利用した除菌機能や、電解による除菌機能などが備えられていてもよい。
【００３９】
また、加湿部５は、加湿ロータ５１に関連して、高温空気を生成するためのヒータ（図示せず）さらに備える構成であってもよい。
【００４０】
コントローラ３０は、筐体１内に備えられ、調湿装置Ａの各部を制御するものである。詳細については後述するが、コントローラ３０は、操作部１８が受付けたユーザの操作内容に従う制御信号を生成し、生成された制御信号により、各部の動作を制御する。
【００４１】
図３は、調湿装置Ａにおける空気の流れる風路を示す図であり、（ａ）は除湿部４を通らない風路であり、（ｂ）は除湿部４を通る風路である。調湿装置Ａでは、除湿部４および加湿部５の両方を停止させた空気清浄のみの動作、除湿部４だけを稼働させた空気清浄＋除湿の動作、および加湿部５だけを稼働させた空気清浄＋加湿の動作、の３種の動作に切り換えることが可能である。
【００４２】
図３の（ａ）（ｂ）に示すように、送風機２が駆動することで、吸込口１６から空気が取り込まれ、空気清浄フィルタ３を通って加湿部５を通過する。加湿部５を通過した空気の一部は、風路Ｒ１を通って加湿部側吸気口２５Ｂから送風機２に入り、吹出口１５Ａ，１５Ｂから吹出される。また、加湿部５を通過した空気の一部は、風路Ｒ２を通って送風機２の外周に沿って正面側に回り込み、熱交換器側吸気口２５Ａから送風機２内部に入り、吹出口１５Ａ，１５Ｂから吹出される。
【００４３】
空気清浄運転時は、除湿部４および加湿部５の両方が停止しているので、吸込口１６から取り込まれた空気は、空気清浄フィルタ３で異物が捕集されるだけとなる。除湿時は除湿部４だけが駆動される。したがって、吸込口１６から取り込まれ、空気清浄フィルタ３で異物が捕集された空気のうち、風路Ｒ２を通る空気が駆動している除湿部４を通過することで除湿される。加湿時は加湿部５だけが駆動される。吸込口１６から取り込まれ、空気清浄フィルタ３で異物が捕集された空気は、駆動している加湿部５を通過することで加湿される。加湿された空気の一部は、風路Ｒ２を通って除湿部４を通過するが、除湿部４は停止しているため除湿は行われない。
【００４４】
図４は、調湿装置Ａにおける操作部１８の外観図である。図４に示すように、操作部１８は、「おまかせ自動運転（自動運転モード）」を選択するために操作されるおまかせ自動ボタン１８Ａ、運転の入／切を操作するための運転ボタン１８Ｂ、加湿または除湿の単独運転を指示するためのボタン１８Ｃ、運転を切換えるためのボタン１８Ｄ、風量を切換えるためのボタン１８Ｅ、吹出ルーバ１４のスイング角度を切換えるためのボタン１８Ｆ、タイマ機能を設定するためのボタン１８Ｇおよび調湿装置Ａの内部を乾燥するために操作されるボタン１８Ｈを含む。
【００４５】
また、操作部１８には、上記の各種ボタンの操作に連動して点灯/消灯するランプが設けられている。具体的には、おまかせ自動ボタン１８Ａに関連して、当該ボタンが操作されて「おまかせ自動運転」の動作が起動しているか否かをランプの点滅によって報知するためのランプ１８ａ、運転ボタン１８Ｂに関連して、運転ボタン１８Ｂの操作に応じた運転状態をランプの点灯によって報知するためのランプ１８ｂを含む。さらに、上記に述べたボタン１８Ｃ、１８Ｄ、１８Ｅ、１８Ｆ、１８Ｇおよび１８Ｈのそれぞれに関連して、対応のボタンの操作により設定された運転状態および情報などを報知するために点灯するランプ１８ｃ、１８ｄ、１８ｅ、１８ｆ、１８ｇおよび１８ｈを含む。ランプ１８ａ〜１８ｈのそれぞれは、対応のボタンの近傍において設けられる例えばＬＥＤ（Light Emitting Diode）により構成される。
【００４６】
図５は、図１に示す調湿装置Ａにおける表示部１９の外観図である。表示部１９は、測定された現在の湿度を表示するための域１９Ａ、イオン発生器３８によりイオンが放出中である旨の情報を表示するための域１９Ｂ、加湿空清運転中であることの情報を表示するための域１９Ｃ、および除湿空清運転中であることの情報を表示するための域１９Ｄ、ならびに周囲空気の清浄度を表示色の変更等により示すための域１９Ｅを含む。域１９Ａ〜１９Ｅのそれぞれにおける情報の表示は、ＬＥＤの点灯/消灯によって実現される。
【００４７】
図６は、図１に示す調湿装置Ａにおけるコントローラ３０とその周辺部の構成を模式的に示す図である。コントローラ３０は、調湿装置Ａを制御するための制御部の一実施例である。コントローラ３０は、ＣＰＵ（Central Processing Unit）３１、時間を計測するためのタイマ３２、揮発性および不揮発性の記憶デバイスからなるメモリ３３、および外部の各部と入出力するための入出力Ｉ／Ｆ（Interfaceの略）３１Ａおよび外部Ｉ／Ｆ３１Ｂを含む。
【００４８】
コントローラ３０は、入出力Ｉ／Ｆ３１Ａを介して操作部１８と出力部１７を接続する。出力部１７は、表示部１９と音声出力部（図示せず）を含む。また、コントローラ３０は、外部Ｉ／Ｆ３１Ｂを介して、加湿ロータ５１を駆動するための加湿駆動部６１、両翼ファン２１を駆動するためのファン駆動部６３、除湿部４の図示していない圧縮機を駆動するための除湿駆動部６２、吹出ルーバ１４の開閉および傾き角度を調整するためのルーバ駆動部６４と接続されている。
【００４９】
加湿駆動部６１は、加湿ロータ５１を回転させるための加湿部モータ５２を含む。ＣＰＵ３１は、制御信号を用いて加湿部モータ５２を制御することにより、加湿ロータ５１の回転方向および回転速度（回転数）を制御する。ファン駆動部６３は、両翼ファン２１を回転させるためのファンモータ２３を含む。ＣＰＵ３１は、制御信号によりファンモータ２３を制御することにより、両翼ファン２１の回転速度（回転数）および回転方向を変化させて、送風量を調整する。
【００５０】
除湿駆動部６２は、熱交換のための冷媒の送出量を制御するための図示しない圧縮機モータを含む。ＣＰＵ３１は、制御信号により圧縮機モータの回転運動または往復運動を制御すると、冷媒の送出量を変化させて、除湿量を調整する。ルーバ駆動部６４は、吹出ルーバ１４を駆動するためのステッピングモータを含む。ＣＰＵ３１は、制御信号によりステッピングモータの回転方向と回転量を制御することにより、吹出ルーバ１４の開度および傾き角度を変化させて、吹出される送風量と送風方向を調整する。
【００５１】
コントローラ３０のＣＰＵ３１は、外部Ｉ／Ｆ３１Ｂを介して、さらにイオン発生器３８と接続されている。ＣＰＵ３１は、イオン発生器３８を制御し、空気清浄のための所定種類のイオンを発生させる。
【００５２】
さらに、ＣＰＵ３１は、外部Ｉ／Ｆ３１Ｂを介して、調湿装置Ａの周囲の湿度（調湿対象空間の湿度）を検知するための湿度センサ３６、周囲温度（調湿対象空間の温度）を検知するための温度センサ３５、周囲の明るさ（調湿対象空間の照度）を検知するための照度センサ３７、および周囲空気の汚れの度合を検知するための臭いセンサ３４と接続されている。照度センサ３７は、「明るさセンサ」の一実施例である。臭いセンサ３４は、周囲空気の汚れ度を検知するための「清浄度センサ」の一実施例である。なお、周囲の空気の汚れを検知するために、臭いセンサ３４に代えて埃センサを用いてもよく、または臭いセンサ３４と埃センサの両方を用いてもよい。
【００５３】
「おまかせ自動運転」においては、ＣＰＵ３１が、調湿対象空間の温度と湿度とを検知し、調湿対象空間の温度に応じた湿度になるように、加湿空清運転、除湿空清運転、空気清浄運転を切り換える。具体的には、調湿対象空間の温度に応じて設定されている目標湿度域に到達するように、加湿空清運転あるいは除湿空清運転を行い、目標湿度域に到達すると、空気清浄運転を行う。
【００５４】
そして、調湿装置Ａでは、「おまかせ自動運転」において、ＣＰＵ３１が、加湿空清運転、除湿空清運転、空気清浄運転の切り換えの閾値となる目標湿度域を、調湿対象空間の状況に応じて切り換えるようになっている。
【００５５】
具体的には、ＣＰＵ３１は、「おまかせ自動運転」での運転に用いるテーブルを、調湿対象空間の状況に応じて切り換える。本実施の形態１における調湿装置Ａは、調湿対象空間をリビングルームとしたリビングルーム用である。そこで、調湿装置Ａは、リビングルームに適した目標湿度域の異なる複数のテーブル、ここでは図７、図８に示す２つのテーブルを用いる。
【００５６】
図７、図８は、リビングルームにおける「おまかせ自動運転」に適したテーブルの内容を図示したもので、温度と湿度とに応じた運転内容が示されている。本実施の形態１においては、ＣＰＵ３１は、リビングルームの状況を示すパラメータの１つとして、上記照度センサ３７で検知された照度を用い、照度に応じて、図７、図８の何れかを選択する。ＣＰＵ３１は、選択したテーブルに従って、湿度センサ３６で検知された湿度が、目標湿度域に到達するまで、加湿空清運転あるいは除湿空清運転を行う。検知された湿度が目標湿度域に達すると空気清浄運転を行う。なお、図７、図８のテーブルは、調湿装置Ａのメモリ３３に予め格納されている。
【００５７】
図７は、日中および夜間の照明が点灯している明るい状況で選択されるテーブル（明）である。リビングルームにおいて、明るい状況は人が居ると考えられる。そのため、図７のテーブルでは、温度に対する目標湿度域が、図中、ドットを付して示す、前述した非特許文献１のテーブル（図１４参照）よりも高めに設定されており、積極的に加湿するようになっている。
【００５８】
特に、冷暖房の設定温度として設定されることの多い１８℃〜２４℃の温度域において、加湿は６０％に到達するまで行われ、除湿は７５％を下回らないように行われる。これにより、非特許文献１の調湿装置よりも、１８℃〜２４℃の温度域において積極的な加湿が行われ、効果的にウィルスの感染を防止できる。
【００５９】
図８は、夜間の照明が点灯されていない暗い状況で選択されるテーブル（暗）である。リビングルームにおいて、このような暗い状況は人が居ないと考えられる。そのため、図８のテーブルでは、温度に対する目標湿度域が、図中、ドットを付して示す、前述した非特許文献１のテーブル（図１４参照）よりも低めに設定されており、積極的に除湿を行い、効果的に結露を抑制するようになっている。
【００６０】
特に、冬場に結露が起こり易い１８℃未満の温度域において、加湿は３５％あるいは４５％に到達するまでとされ、除湿は６０％あるいは７０％に達するまで行われる。これにより、非特許文献１の調湿装置よりも１８℃未満の温度域で効果的に結露を抑制できる。
【００６１】
また、１８℃以上の、梅雨から秋までの、カビや部屋干しへの対策が必要な温度域において、加湿は３０％に到達するまでとされ、除湿は５０％に達するまで行われる。これにより、非特許文献１の調湿装置よりも、１８℃以上の温度域でカビが発生しにくく、かつ、使用していない部屋を利用した部屋干しに適した環境を実現できる。
【００６２】
図９は、「おまかせ自動運転」のメインフローに組み込まれる、テーブル選択（切り換え）のサブルーチンのフローチャートである。図９のフローチャートに従うプログラムは予めメモリ３３に格納されて、ＣＰＵ３１がメモリ３３からプログラムを読出すことにより、処理が実現される。
【００６３】
図９に示すように、ＣＰＵ３１は、照度センサ３７の検知結果に基づいて、リビングルームが明るいか否かを判断する（Ｓ１）。明るいと判断すると、Ｓ２に進み、明るい状況に適した図７に示すテーブル（明）を選択する。一方、Ｓ１において、リビングルームは明るくないと判断すると、Ｓ３に進み、暗い状況に適した図８に示すテーブル（暗）を選択する。Ｓ２あるいはＳ３で明るさに応じたテーブルを選択した後は、「おまかせ自動運転」におけるメインフローに戻る。メインフローは、要所でテーブル選択のサブルーチンに入るようステップが組まれている。
【００６４】
以上のように、本実施の形態の調湿装置Ａは、「おまかせ自動運転」において、加湿空清運転、除湿空清運転、空気清浄運転の切り換えの閾値となる目標湿度域の異なるテーブルを複数（ここでは２つ）備え、リビングルームの状況を示すパラメータの１つとして照度センサ３７の検知結果に応じてテーブルを切り換えて用いる。
【００６５】
リビングルームの場合、暗い状況は、夜間の人が居ない状況と考えられる。そこで、このような状況では、夜間の人の居ない空間に適した、加湿を抑えて結露を抑制できるリビング用のテーブル（暗）を選択することで、より効果的に結露を抑制することができる。
【００６６】
また、リビングルームにおいて、明るい状況は、日中や、夜間の照明が点灯されている人が居る状況と考えられる。そこで、このような状況では、昼間の人の居る空間に適した、積極的に加湿できるリビングルーム用のテーブル（明）を選択することで、より効果的にウィルスの感染を防止できる加湿空間を実現できる。
【００６７】
これにより、「おまかせ自動運転」において、テーブルを１つのみ有し、調湿対象空間の状況に係わらず、目標湿度域が固定されていた従来の構成よりも、調湿対象空間の明るさの状況に応じたメリハリのある、快適性を追求した運転を実施することができる。
【００６８】
なお、調湿装置Ａにおいては、吸込口１６から吸い込まれた空気は必ず空気清浄フィルタ３を通過するため、加湿空清運転、除湿空清運転、空気清浄運転を切り換えるが、空気清浄フィルタ３を備えない構成の場合は、加湿運転、除湿運転、送風運転を切り換えることとなる。
【００６９】
〔実施の形態２〕
本発明のその他の実施の一形態について、図１０、図１１を参照して説明する。なお、説明の便宜上、前記実施形態にて説明した部材と同じ機能を有する部材については、同じ符号を付記し、その説明を省略する。
【００７０】
上述した実施の形態１の調湿装置Ａはリビングルーム用で、リビングルーム用のテーブル（明）とテーブル（暗）を備えていた。これに対し、本実施の形態２の調湿装置Ａは寝室用で、寝室用のテーブル（明）とテーブル（暗）を備えている。この点のみ異なる。
【００７１】
図１０、図１１は、寝室における「おまかせ自動運転」に適したテーブルの内容を図示したもので、温度と湿度とに応じた運転内容が示されている。リビングルームとは逆に、寝室の場合、日中等の明るい状況は人が居らず、暗い状況で就寝中の人が居ると考えられる。なお、夜間、照明が点灯された状態で人が居ることも考えられるが、その期間は就寝期間に比して十分に短いので、人が居ない期間として扱う。
【００７２】
そこで、寝室用の調湿装置Ａにおいては、リビングルーム用の調湿装置Ａとは逆に、図８のリビングルーム用のテーブル（暗）を寝室用のテーブル（明）とし、図７のリビングルーム用のテーブル（明）を寝室用のテーブル（暗）として用いる。つまり、図１０に示す寝室用のテーブル（明）が図８と同じで、図１１に示す寝室用のテーブル（暗）がと図７と同じである。
【００７３】
これにより、夜間の暗い状況で人が居ると考えられる寝室においては、暗い状況で積極的に加湿して、効果的にウィルスの感染を防止できる。また、日中の人が居ないと考えられる明るい状況では、加湿を抑えて除湿を優先させることで、冬場の結露を効果的に抑制することができ、また、梅雨から秋までの間は、カビの発生を抑えると共に、使用していない部屋を利用した部屋干しに適した環境を実現できる。
【００７４】
なお、ここでは、積極的に加湿するテーブル（図７、図１１）と、加湿を抑えて積極的に除湿するテーブル（図８、図１０）の２枚を利用して、リビングルームにも寝室にも対応する構成としたが、もちろん、寝室に設計された複数のテーブルを具備する構成であってもよい。
【００７５】
〔実施の形態３〕
本発明のその他の実施の一形態について、説明する。なお、説明の便宜上、前記実施形態にて説明した部材と同じ機能を有する部材については、同じ符号を付記し、その説明を省略する。
【００７６】
本実施の形態の調湿装置Ａでは、調湿対象空間をリビングルームとするか寝室とするかを、ユーザが操作部１８等を用いて指定できるようになっている。指定された調湿対象空間の情報は、調湿対象空間の状況を示すパラメータの１つとしてメモリ３３に記憶される。
【００７７】
ＣＰＵ３１は、メモリ３３に記憶された調湿対象空間の情報に基づいて、図７、図８に示した２つのテーブルを用いる。つまり、調湿対象空間がリビングルームである場合は、明るい状況で図７に示すテーブルを選択し、暗い状況で図８に示すテーブルを選択する。また、調湿対象空間が寝室である場合は、暗い状況で図７に示すテーブル（図１１に同じ）を選択し、明るい状況で図８に示すテーブル（図１０に同じ）を選択する。
【００７８】
これにより、１台の調湿装置Ａにおいて、リビングルーム用にも寝室用にも対応可能となる。
【００７９】
なお、ここでは、調湿対象空間の状況を示すパラメータの１つである居室の種類を示す情報を、照度センサ３７の検知結果と組み合わせて使用する構成を例示したが、居室の種類を示す情報を単独で使用する構成とすることも、あるいは居室の種類を示す情報を、照度センサ３７の検知結果以外の調湿対象空間の状況を示すパラメータと組み合わせて用いる構成とすることもできる。
【００８０】
〔実施の形態４〕
本発明のその他の実施の一形態について、説明する。なお、説明の便宜上、前記実施形態にて説明した部材と同じ機能を有する部材については、同じ符号を付記し、その説明を省略する。
【００８１】
本実施の形態の調湿装置Ａでは、リビングルームと寝室以外に、さらに調湿対象空間として子供部屋を指定できるようになっている。また、図１２に示すように、本実施の形態では、ＣＰＵ３１は、外部Ｉ／Ｆ３１Ｂを介して、時計３９とも接続されている。
【００８２】
ＣＰＵ３１は、メモリ３３に記憶された調湿対象空間の情報に基づいて、図７、図８に示した２つのテーブルを用いる。つまり、調湿対象空間がリビングルームである場合は、明るい状況で図７に示すテーブルを選択し、暗い状況で図８に示すテーブルを選択する。また、調湿対象空間が寝室である場合は、暗い状況で図７に示すテーブル（図１１に同じ）を選択し、明るい状況で図８に示すテーブル（図１０に同じ）を選択する。ここまでは、実施の形態３の調湿装置Ａと同じである。
【００８３】
本実施の形態の調湿装置Ａでは、調湿対象空間が子供部屋である場合は、時間に応じて、子供部屋をリビングルームあるいは寝室として扱う。つまり、調湿対象空間の状況を示すパラメータの１つとして時間の情報を使用する。
【００８４】
例えば、朝７時から夜１０時までの期間は、子供部屋の使い方はリビングルームと同じとし、明るさに応じてリビングルーム用のテーブル（明）（暗）を選択する。一方、夜１０時から朝７時までは、子供部屋の使い方は寝室と同じとして、明るさに応じて寝室用のテーブル（明）（暗）を選択する。
【００８５】
これにより、積極的に加湿するテーブル（図７、図１１）と、加湿を抑えて積極的に除湿するテーブル（図８、図１０）の２枚を利用して、リビングルームと寝室だけでなく、子供部屋にも対応可能となる。
【００８６】
なお、ここでは、調湿対象空間の状況を示すパラメータの１つとして時間の情報を、照度センサ３７の検知結果と組み合わせて使用する構成を例示したが、時間の情報単独で使用する構成とすることも、あるいは時間の情報を、照度センサ３７の検知結果以外の調湿対象空間の状況を示すパラメータと組み合わせて用いる構成とすることもできる。
【００８７】
〔実施の形態５〕
本発明のその他の実施の一形態について、説明する。なお、説明の便宜上、前記実施形態にて説明した部材と同じ機能を有する部材については、同じ符号を付記し、その説明を省略する。
【００８８】
本実施の形態の調湿装置Ａでは、図１３に示すように、ＣＰＵ３１は、外部Ｉ／Ｆ３１Ｂを介して、照度センサ３７に代えて人体検知センサ４０と接続されている。人体検知センサ４０は、例えば焦電式センサなどからなり、その視野内に人体を検知すると、熱（赤外線量）の変化に反応して信号を出力する。人体検知センサ４０からの出力により、調湿対象空間に人が居るか居ないか（人の有無）を検知できる。
【００８９】
本実施の形態の調湿装置Ａでは、「おまかせ自動運転」において、加湿空清運転、除湿空清運転、空気清浄運転の切り換えの閾値となる目標湿度域の異なるテーブルを複数（ここでは２つ）備え、調湿対象空間の状況を示すパラメータの１つとして人体検知センサ４０の検知結果を用いてテーブルを切り換える。
【００９０】
複数のテーブルの内容について、ここでは詳細な説明は行わないが、基本的には、図７、図１１に示した積極的に加湿するテーブルと、図８、図１０に示した、加湿を抑えて積極的に除湿するテーブルとを利用し、人が居る場合に積極的に加湿し、人が居ない場合に加湿を抑えて積極的に除湿することが好ましい。
【００９１】
なお、上記の実施の形態１〜５において、調湿対象空間の状況を示すパラメータとして、明るさ、人の有無、居室の種類、時間情報を例示してが、これらに限定されるものではない。例えば、調湿装置にマイク等の集音装置が搭載されている場合は、マイクが拾った音の音データより、調湿対象空間における人の有無を判断してもよい。人が居ない状態では、一定デシベル以下の音の無い状態が継続するので、音データから調湿対象空間における人の有無を検知できる。
【００９２】
〔まとめ〕
本発明の態様１に係る調湿装置Ａは、湿度調節の対象となる調湿対象空間の湿度調節を行う調湿装置であって、空気を加湿する加湿部５と、空気を除湿する除湿部４と、前記加湿部５および前記除湿部４に送風する送風機２と、前記調湿対象空間が温度に応じた目標湿度域に達するように、前記加湿部５、前記除湿部４および前記送風機２を駆動させる制御部（コントローラ３０）と、を備え、温度に応じた前記目標湿度域が複数設定されており、前記制御部（コントローラ３０）は、複数設定された前記目標湿度域を前記調湿対象空間の状況に応じて切り換えることを特徴としている。
【００９３】
上記構成によれば、制御部（コントローラ３０）が、調湿対象空間が温度に応じた目標湿度域に達するように、加湿部５、除湿部４および送風機２を駆動させる。これがいわゆる、自動運転モードである。そして、上記構成によれば、温度に応じた目標湿度域が複数設定されていて、制御部（コントローラ３０）は、複数の中から前記調湿対象空間の状況に応じて選択する。これにより、自動運転モードにおいて、調湿対象空間の状況に係わらず、目標湿度域が固定されていた構成よりも、調湿対象空間の状況に応じたメリハリのある、快適性を追求した運転を実施することができる。
【００９４】
本発明の態様２に係る調湿装置Ａは、さらに、前記調湿対象空間の明るさを検知する明るさセンサ（照度センサ３７）を備え、前記制御部（コントローラ３０）は、前記調湿対象空間の状況を示すパラメータの１つとして前記明るさセンサ（照度センサ３７）の検知結果を用い、前記調湿対象空間の明るさに応じた目標湿度域を選択する構成とすることもできる。
【００９５】
上記構成によれば、明るさセンサ（照度センサ３７）が調湿対象空間の明るさを検知し、制御部（コントローラ３０）が、調湿対象空間の状況を示すパラメータの１つとして明るさセンサ（照度センサ３７）の検知結果を用い、検知された調湿対象空間の明るさに応じた目標湿度域を選択する。
【００９６】
例えば、調湿対象空間がリビングルームである場合に、暗い状況は、夜間の人が居ない状況と考えられる。そこで、このような状況では、加湿を抑えて積極的に除湿する目標湿度域を選択することで、より効果的に結露およびカビの発生を抑制することができる。また、リビングルームにおいて、明るい状況は、日中や、夜間の照明を付けた人が居る状況と考えられる。そこで、このような状況では、日中の人の居る空間に適した、積極的に加湿し得る目標湿度域を選択することで、より効果的にウィルスの感染を防止できる加湿空間を実現できる。
【００９７】
本発明の態様３に係る調湿装置Ａは、さらに、前記調湿対象空間の居室としての種類を示す情報を記憶する記憶部（メモリ３３）を備え、前記制御部（コントローラ３０）は、前記調湿対象空間の状況を示すパラメータの１つとして前記記憶部（メモリ３３）に記憶されている居室としての種類を示す情報を用い、前記調湿対象空間の居室としての種類に応じた目標湿度域を選択する構成とすることもできる。
【００９８】
上記構成によれば、記憶部（メモリ３３）に調湿対象空間の居室としての種類を示す情報、例えば、リビングルームや寝室といった情報が記憶され、制御部（コントローラ３０）が、前記調湿対象空間の状況を示すパラメータの１つとして記憶された調湿対象空間の居室としての種類を示す情報を用い、該種類に応じた目標湿度域を選択する。
【００９９】
例えば、調湿対象空間がリビングルームである場合は、明るい状況で人が居て、暗い状況で人が居ないが、調湿対象空間が寝室の場合は、明るい状況では人が居ず（カーテン等を開けた状態を想定）、暗い状況で人が居ることとなる。
【０１００】
そのため、居室としての種類に応じた目標湿度域を選択することで、自動運転モードにおいて、調湿対象空間の状況に係わらず、目標湿度域が固定されていた構成よりも、調湿対象空間の状況に応じたメリハリのある、快適性を追求した運転を実施することができる。
【０１０１】
本発明の態様４に係る調湿装置Ａは、時計３９を備え、前記制御部（コントローラ３０）は、前記調湿対象空間の状況を示すパラメータの１つとして前記時計３９による時間の情報を用いる構成とすることもできる。
【０１０２】
上記構成によれば、時計３９を有し、制御部（コントローラ３０）は、調湿対象空間の状況として時計３９による時間の情報を用い、時間に応じた目標湿度域を選択する。
【０１０３】
例えば、調湿対象空間が子供部屋である場合に、明るい状況ではリビングルームと同様に人が居て、暗い状況では寝室と同様に人（就寝中）が居ることとなる。そこで、時間情報を持つことで、明るさと人の有無の状況がリビングルームに近い時間帯はリビングルームと同じ目標湿度域を選択し、人の有無の状況が寝室に近い状況となる時間帯は寝室と同じ目標湿度域を選択するといったことが可能になる。
【０１０４】
本発明の態様５に係る調湿装置Ａは、前記調湿対象空間の人の有無を検知する人体検知センサ４０を備え、前記制御部（コントローラ３０）は、前記調湿対象空間の状況を示すパラメータの１つとして前記人体検知センサ４０の検知結果を用い、前記調湿対象空間の人の有無に応じた目標湿度域を選択する構成とすることもできる。
【０１０５】
上記構成によれば、人体検知センサ４０が調湿対象空間の人の有無を検知し、制御部（コントローラ３０）が、前記調湿対象空間の状況を示すパラメータの１つとして検知された調湿対象空間の人の有無の検知結果を用い、調湿対象空間の人の有無に応じた目標湿度域を選択する。
【０１０６】
例えば、調湿対象空間がリビングルームである場合に、人が居ない状況では、加湿を抑えて積極的に除湿する目標湿度域を選択することで、より効果的に結露およびカビの発生を抑制することができる。また、リビングルームにおいて、人が居る状況では、積極的に加湿し得る目標湿度域を選択することで、より効果的にウィルスの感染を防止できる加湿空間を実現できる。
【０１０７】
本発明は上述した各実施の形態に限定されるものではなく、種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【０１０８】
Ａ  調湿装置
２  送風機
３  空気清浄フィルタ
４  除湿部
５  加湿部
１５Ａ、１５Ｂ  吹出口
１６  吸込口
１８  操作部
３０  コントローラ（制御部）
３３  メモリ（記憶部）
３５  温度センサ
３６  湿度センサ
３７  照度センサ（明るさセンサ）
３９  時計
４０  人体検知センサ
【図１】
0006727869.tif 000002
【図２】
0006727869.tif 000003
【図３】
0006727869.tif 000004
【図４】
0006727869.tif 000005
【図５】
0006727869.tif 000006
【図６】
0006727869.tif 000007
【図７】
0006727869.tif 000008
【図８】
0006727869.tif 000009
【図９】
0006727869.tif 000010
【図１０】
0006727869.tif 000011
【図１１】
0006727869.tif 000012
【図１２】
0006727869.tif 000013
【図１３】
0006727869.tif 000014
【図１４】
0006727869.tif 000015